(57)【要約】【課題】単位光の大きさを調節して低階調表現力を向上させるためのプラズマ表示装置とその駆動方法を提供する。【解決手段】本発明によれば、維持放電電圧を印加するスイッチの導通時間を調節して単位光の階調を低くする。このようにすれば、１以下の低階調を表現する際、放電が起こるセルと放電が起こらないセルとの境界部分に縞が生じる現象が減少し、低階調表現力を高めることができる。【選択図】図３
2006133772.tif 000002
【特許請求の範囲】
【請求項１】
第１電極、第２電極、及びアドレス電極によって放電セルが形成されるプラズマ表示パネルの１フレームを、各々の加重値を有する複数のサブフィールドに分け、各サブフィールドの組み合わせによって階調が表示されるプラズマ表示装置を駆動する方法において、
少なくとも一つの第１サブフィールドの維持期間に、
前記第１電極の電圧を第１電圧から第２電圧まで漸進的に増加させる段階と、
前記第１電極の電圧を前記第２電圧で減少させる段階と、
前記第１電極に前記第２電圧より高い第３電圧を第１期間の間に印加する段階と、
を含むプラズマ表示装置の駆動方法。
【請求項２】
前記第１サブフィールドは、前記複数のサブフィールドで最小加重値を有するサブフィールドを含む、請求項１に記載のプラズマ表示装置の駆動方法。
【請求項３】
前記少なくとも一つの第１サブフィールド以外のサブフィールドでは、前記第１電極と前記第２電極に維持放電パルスが交互に印加され、
前記第１電極に印加される維持放電パルスは、前記第３電圧を第２期間の間に有する、請求項１又は２に記載のプラズマ表示装置の駆動方法。
【請求項４】
前記第１期間は前記第２期間より短い、請求項３に記載のプラズマ表示装置の駆動方法。
【請求項５】
前記第１サブフィールドで表示される光の強さは、前記第１電極に前記維持放電パルスが一つ印加されるサブフィールドの光の強さより弱い、請求項３に記載のプラズマ表示装置の駆動方法。
【請求項６】
前記第２期間の長さが互いに異なる前記第１サブフィールドが二つ存在する場合に、前記第２期間の長さが相対的に短い前記第１サブフィールドの光の強さが、前記第２期間の長さが相対的に長い前記第１サブフィールドの光の強さより弱い、請求項１又は２に記載のプラズマ表示装置の駆動方法。
【請求項７】
前記第１電極に電気的に連結されたインダクタ、前記第１電極、及び前記第２電極によって形成される容量性負荷の共振により、前記第１電極の電圧が前記第１電圧から前記第２電圧まで増加する、請求項１又は２に記載のプラズマ表示装置の駆動方法。
【請求項８】
アドレス期間に、前記放電セルのうちの選択しようとする放電セルを放電させ、
前記維持期間に、前記選択された放電セルと、前記選択された放電セルと隣接した選択されない放電セルとを組み合わせて階調を表示する、請求項１又は２に記載のプラズマ表示装置の駆動方法。
【請求項９】
第１電極及び第２電極と、前記第１電極及び第２電極の間に形成されるパネルキャパシタに電圧を印加する駆動回路とを含むプラズマ表示装置において、
一つのフレームを各々の加重値を有する複数のサブフィールドに分け、各サブフィールドの組み合わせによって階調が表示され、
前記駆動回路は、
前記パネルキャパシタの第１電極に第１端が連結されたインダクタと、
前記インダクタの第２端と第１電圧を供給する第１電源との間に連結され、前記インダクタを通じて前記第１電極の電圧が増加するように動作する第１スイッチと、
前記インダクタの第２端と前記第１電源との間に連結され、前記インダクタを通じて前記第１電極の電圧が減少するように動作する第２スイッチと、
前記第１電極と第２電圧を供給する第２電源との間に連結され、前記第１電極の電圧が増加した後に、前記第２電圧が前記第１電極に印加されるように動作する第３スイッチと、
前記第１電極と第３電圧を供給する第３電源との間に連結され、前記第１電極の電圧が減少した後に、前記第３電圧が前記第１電極に印加されるように動作する第４スイッチと、を含み、
少なくとも一つのサブフィールドの維持期間に、
前記第１スイッチを導通して前記第１電極の電圧を漸進的に増加させ、前記第１電極の電圧が所定の電圧だけ減少した後に前記第３スイッチを導通し、前記第１電極に前記第２電圧を印加するプラズマ表示装置。
【請求項１０】
前記少なくとも一つのサブフィールドは最小加重値を有するサブフィールドを含む、請求項９に記載のプラズマ表示装置。
【請求項１１】
前記駆動回路は、
前記少なくとも一つのサブフィールド以外のサブフィールドの維持期間に、前記第１電極と前記第２電極に前記第２電圧を交互に印加する、請求項９又は１０に記載のプラズマ表示装置。
【請求項１２】
前記駆動回路は、
前記第１スイッチを導通する時間によって前記サブフィールドの光の強さを決定する、請求項９又は１０に記載のプラズマ表示装置。
【請求項１３】
前記駆動回路は、
前記インダクタの第２端と前記第１電源との間に連結されて、前記第１電極の電圧が増加するように電流の方向を決定する第１ダイオードと、
前記インダクタの第２端と前記第１電源との間に連結されて、前記第１電極の電圧が減少するように電流の方向を決定する第２ダイオードと、をさらに含む、請求項９又は１０に記載のプラズマ表示装置。
【請求項１４】
前記駆動回路は、
前記少なくとも一つのサブフィールドで前記第１スイッチを導通する時間と、前記少なくとも一つのサブフィールド以外のサブフィールドで前記第１スイッチを導通する時間とを異なるようにする、請求項９又は１０に記載のプラズマ表示装置。
【請求項１５】
第１電極、第２電極、及びアドレス電極によって放電セルが形成されるプラズマ表示パネルの１フレームを各々の加重値を有する複数のサブフィールドに分け、各サブフィールドの組み合わせによって階調が表示されるプラズマ表示装置を駆動する方法において、
最小加重値を有するサブフィールドで、
アドレス期間に、放電セルのうちの選択しようとする放電セルを放電させ、
維持期間に、第１電極に電気的に連結されたインダクタ、前記第１電極、及び第２電極によって形成される容量性負荷の共振によって前記第１電極の電圧を増加させ、前記アドレス期間に選択された放電セルで放電が発生して前記第１電極の電圧が減少した後に、前記第１電極に維持放電のための第１電圧を印加する、プラズマ表示装置の駆動方法。
【発明の詳細な説明】
【技術分野】
【０００１】
本発明は、プラズマ表示装置とその駆動方法に関するものである。
【背景技術】
【０００２】
プラズマ表示パネルは、気体放電によって生成されたプラズマを利用して文字又は映像を表示する平面表示装置であって、その大きさによって数十から数百万個以上の画素がマトリックス形態に配列されている。
【０００３】
プラズマ表示装置は、一つのフレームが各々の加重値を有する複数個のサブフィールドに分割されて駆動され、このようなサブフィールドの組み合わせによって階調を表現する。
【０００４】
各サブフィールドは、リセット期間、アドレス期間、及び維持期間を含む。
【０００５】
リセット期間は、セルにアドレシング動作が円滑に行われるようにするために各セルの状態を初期化させる期間であり、アドレス期間は、パネルで点灯されるセルと点灯されないセルを区別するために点灯されるセル（アドレシングされたセル）に壁電荷を蓄積する動作を行う期間である。維持期間は、維持放電電圧パルスを印加してアドレシングされたセルに実際に映像を表示するための放電を遂行する期間である。この時、アドレス期間は全てのサブフィールドに対して同一に与えられる。
【０００６】
この時、リセット放電はその強さが微弱であるため、リセット放電によって発生する光はほとんど無視される。したがって、階調１を表示する加重値１のサブフィールドは、アドレス放電によって発生するアドレス光と維持放電によって発生する維持光とに表現できる。
【０００７】
一方、従来は、一つの維持放電パルスによって実現される維持光とアドレス光の大きさが、一つの放電セルで実現される最小階調（階調１）を表現する単位光になる。
【０００８】
このような単位光が、大きさによって表現される階調よりさらに小さい階調を表現するためにはディザリング技法を使用しなければならない。しかし、このディザリング技法を使用する場合、遠隔で観察すると隣接した放電セル間の干渉によって所望の階調が表現されるが、近距離で観察すると、単位光が発生した放電セルと発生しない放電セルとの間に紋が表示されるため、画質に影響を与える。
【発明の開示】
【発明が解決しようとする課題】
【０００９】
本発明が目的とする技術的課題は、単位光の大きさを調節して低階調表現力を向上させるためのプラズマ表示装置及びその駆動方法を提供することにある。
【課題を解決するための手段】
【００１０】
このような課題を解決するための本発明の特徴によるプラズマ表示装置の駆動方法は、第１電極、第２電極、及びアドレス電極によって放電セルが形成されるプラズマ表示パネルの１フレームを、各々の加重値を有する複数のサブフィールドに分け、各サブフィールドの組み合わせによって階調が表示されるプラズマ表示装置を駆動する方法であって、少なくとも一つの第１サブフィールドの維持期間に、前記第１電極の電圧を第１電圧から第２電圧まで漸進的に増加させる段階と、前記第１電極の電圧を前記第２電圧で減少させる段階と、前記第１電極に前記第２電圧より高い第３電圧を第１期間の間に印加する段階とを含む。
【００１１】
本発明の特徴によるプラズマ表示装置は、第１電極及び第２電極と、前記第１電極及び第２電極の間に形成されるパネルキャパシタに電圧を印加する駆動回路とを含むプラズマ表示装置であって、一つのフレームを、各々の加重値を有する複数のサブフィールドに分け、各サブフィールドの組み合わせによって階調が表示され、前記駆動回路は、前記パネルキャパシタの第１電極に第１端が連結されたインダクタと、前記インダクタの第２端と第１電圧を供給する第１電源との間に連結され、前記インダクタを通じて前記第１電極の電圧が増加するように動作する第１スイッチと、前記インダクタの第２端と前記第１電源との間に連結され、前記インダクタを通じて前記第１電極の電圧が減少するように動作する第２スイッチと、前記第１電極と第２電圧を供給する第２電源との間に連結され、前記第１電極の電圧が増加した後に、前記第２電圧が前記第１電極に印加されるように動作する第３スイッチと、及び前記第１電極と第３電圧を供給する第３電源との間に連結され、前記第１電極の電圧が減少した後に、前記第３電圧が前記第１電極に印加されるように動作する第４スイッチとを含み、少なくとも一つのサブフィールドの維持期間に、前記第１スイッチを導通して前記第１電極の電圧を漸進的に増加させ、前記第１電極の電圧が所定の電圧だけ減少した後に前記第３スイッチを導通し、前記第１電極に前記第２電圧を印加し、前記少なくとも一つのサブフィールド以外のサブフィールドの維持期間に、前記第１電極と前記第２電極に前記第２電圧を交互に印加する。
【００１２】
本発明の他の特徴によるプラズマ表示装置の駆動方法は、最小加重値を有するサブフィールドで、アドレス期間に、放電セルのうちの選択しようとする放電セルを放電させ、維持期間に、第１電極に電気的に連結されたインダクタ、前記第１電極、及び第２電極によって形成される容量性負荷の共振によって前記第１電極の電圧を増加させ、前記アドレス期間に選択された放電セルで放電が発生して前記第１電極の電圧が減少した後に、前記第１電極に維持放電のための第１電圧を印加する。
【発明の効果】
【００１３】
本発明によれば、低階調を表現する際、加重値が低いサブフィールドの維持期間に維持放電パルスを印加するスイッチの導通時間を調節して、単位光の階調を低くする。このようにすれば、１以下の低階調を表現する場合、放電が起こるセルと放電が起こらないセルとの境界部分に縞が生まれる現象を減少し、低階調表現力を高めることができる。また、表現可能な階調の数が増加するので画質が改善される。
【発明を実施するための最良の形態】
【００１４】
以下、添付した図面を参照して、本発明の実施例について本発明の属する技術分野における通常の知識を有する者が容易に実施できるように詳細に説明する。しかし、本発明は多様な相違した形態で実現でき、ここで説明する実施例に限定されない。図面においては、本発明を明確に説明するために説明上必要のない部分は省略した。明細書全体を通じて類  似な部分については同一な図面符号を付けた。
【００１５】
まず、本発明の実施例によるプラズマ表示装置及び駆動方法について、図面を参照して詳細に説明する。
【００１６】
図１は、本発明の実施例によるプラズマ表示装置の概略的な図である。
【００１７】
図１に示したように、本発明の実施例によるプラズマ表示装置は、プラズマ表示パネル１００、制御部２００、アドレス駆動部３００、維持電極駆動部（以下、‘Ｘ電極駆動部’とする）４００、及び走査電極駆動部（以下、‘Ｙ電極駆動部’とする）５００を含む。
【００１８】
プラズマ表示パネル１００は、列方向に配列されている複数のアドレス電極（Ａ１−Ａｍ）、行方向に配列されている複数の維持電極（以下、‘Ｘ電極’とする）（Ｘ１−Ｘｎ）、及び走査電極（以下、‘Ｙ電極’とする）（Ｙ１−Ｙｎ）を含む。Ｘ電極（Ｘ１−Ｘｎ）は各Ｙ電極（Ｙ１−Ｙｎ）に対応して形成され、その一端が互いに共通で連結されている。Ｙ電極（Ｙ１−Ｙｎ）とアドレス電極（Ａ１−Ａｍ）、及びＸ電極（Ｘ１−Ｘｎ）とアドレス電極（Ａ１−Ａｍ）は各々直交するように配置される。この時、アドレス電極（Ａ１−Ａｍ）とＸ及びＹ電極（Ｘ１−Ｘｎ、Ｙ１−Ｙｎ）の交差部にある放電空間が放電セルを形成する。
【００１９】
制御部２００は、外部から映像信号を受信して、アドレス駆動制御信号、Ｘ電極駆動制御信号、及びＹ電極駆動制御信号を出力する。そして、制御部２００は１フレームを複数のサブフィールドに分割して駆動し、各サブフィールドを時間的な動作変化に表現すれば、リセット期間、アドレス期間、維持期間からなる。
【００２０】
アドレス駆動部３００は、制御部２００からアドレス駆動制御信号を受信して、表示しようとする放電セルを選択するための表示データ信号を各アドレス電極（Ａ１−Ａｍ）に印加する。Ｘ電極駆動部４００は、制御部２００からＸ電極駆動制御信号を受信してＸ電極（Ｘ１−Ｘｎ）に駆動電圧を印加し、Ｙ電極駆動部５００は、制御部２００からＹ電極駆動制御信号を受信してＹ電極（Ｙ１−Ｙｎ）に駆動電圧を印加する。
【００２１】
以下、本発明の実施例によるプラズマ表示装置の駆動方法について、図２及び図３を参照して説明する。
【００２２】
図２は、本発明の実施例によるプラズマ表示装置のＹ電極駆動部５００の回路図であり、図３は、本発明の実施例によるプラズマ表示装置の駆動波形を示したものである。
【００２３】
図２に示したように、本発明の実施例によるプラズマ表示装置のＹ電極駆動部５００は、電源（Ｖｓ）と接地との間で直列連結されてＹ電極にＶｓ電圧と０Ｖを交互に印加するスイッチ（Ｙｓ、Ｙｇ）とクランピングダイオード（Ｄｓ、Ｄｇ）、電力回収用電源（Ｃｅｒ）に連結されたスイッチ（Ｙｒ、Ｙｆ）とダイオード（Ｄｒ、Ｄｆ）、及びインダクタ（Ｌ）を含む。
【００２４】
また、本発明の実施例によれば、図３に示したように低階調を表現する際、加重値の低いサブフィールド（ＬＳＢ）の維持期間に２段階の維持放電を起こすことによって単位光の大きさを調節する。
【００２５】
より詳細に説明すれば、まず、スイッチ（Ｙｒ）を導通して、インダクタ（Ｌ）とパネルキャパシタ（Ｃｐ）の共振によってＹ電極の電圧を徐々に増加させる。そうするとＬＣ共振により放電が起こり、図３に示したように一番目の光波型が発生する。
【００２６】
次に、ＬＣ共振によって１回の放電が起こり、Ｙ電極の電圧が所定の電圧だけ減少した後にスイッチ（Ｙｓ）を導通して、Ｖｓ電圧を印加する。そうすれば、図３に示したように第２光波型が発生する。
【００２７】
放電が持続されるためには放電電流が放電セルに供給されなければならないが、スイッチ（Ｙｓ）を導通せずに共振によって放電が起こる場合には、共振電流が放電電流として供給されるので弱い放電が起こる。
【００２８】
また、このような放電によって壁電荷が除去されたので、スイッチ（Ｙｓ）が導通される時には放電が弱く起こり、特に、スイッチ（Ｙｓ）が導通される時間が短いと放電電流を供給する時間が短くなるため、放電は持続されない。したがって、スイッチ（Ｙｓ）を導通する時間を調節することによって第２光波型の大きさを調節することができる。
【００２９】
図４は、このようなスイッチ（Ｙｓ）のオンタイムによる光波型の大きさ変化を示したものである。
【００３０】
つまり、ＬＣ共振による１回目の光波型の大きさは全て同一であり、スイッチ（Ｙｓ）を導通してＶｓ電圧を印加する時間が長くなるほど２回目の光波型の大きさが増加する。
【００３１】
図５Ａ及び５Ｂは、本発明の実施例による単位光調節を通じた低階調表現の例を示したものであって、単位光を階調０.５に低くした場合を示した。
【００３２】
図５Ａに示したように、隣接した２つの放電セルのうちの一つの放電セルに階調０.５の単位光を発生させれば、階調０.５が２つの放電セルに分散されて、肉眼としては階調０.２５に認識される。また、階調０.５の単位光で階調０.５を表現する場合には、図５Ｂに示したように、全ての放電セルに階調０.５の単位光を発生させる。
【００３３】
このようにすれば、階調１以下の低階調を表現する際、放電が起こらないセルに対する放電が起こるセルの比率が大きくなるので、近距離で観察しても、放電セルの境界部分で縞が表示される現象が従来に比べて減少させることができる。実際に、図５Ｂのように階調０.５の単位光で階調０.５を表現した場合には全ての放電セルで放電が起こるので、放電セルの境界部分に縞は表示されない。
【００３４】
一方、本発明の実施例では、単位光を階調１以下の所定階調に減少させた後、この単位光を利用して１以下のいろいろな階調を表現する場合について説明したが、単位光の階調を各階調に合うように減少させれば全てのセルで放電が起こるので、放電セルの境界部分には縞が表示されない。
【００３５】
また、電力回収動作の後、維持パルスを印加せずに放電が消滅されるようにすることにより、さらに低い階調も表示することができる。
【００３６】
また、本発明の実施例による単位光調節方法は、維持期間の最初のパルスにだけ適用することもでき、サブフィールド別に異なるように適用することもできる。また、一つのサブフィールド内でも、維持期間初期の所定個数の維持パルスに対して適用することもできる。この時、Ｘ電極に印加される単位光も、Ｙ電極に印加される単位光を調節する方法と同様な方法で調節することができる。このように単位光の階調を調節することにより、表現可能な階調の数を増加させることができる。
【００３７】
また、高諧調を表現する場合には、従来通りに電力回収動作によってＹ電極の電圧を増加させた後、電圧が減少する前にスイッチ（Ｙｓ）を導通し、Ｖｓ電圧を印加することによって継続して放電が維持できるようにする。
【００３８】
以上では本発明の好ましい実施例について詳細に説明したが、本発明はこれに限定されることではなく、その他の多様な変更や変形が可能である。
【図面の簡単な説明】
【００３９】
【図１】本発明の実施例によるプラズマ表示装置の概略的な図である。
【図２】本発明の実施例によるプラズマ表示装置のＹ電極駆動部の回路図である。
【図３】本発明の実施例によるプラズマ表示装置の駆動波形を示した図である。
【図４】本発明の実施例による光波型の大きさ変化を示した図である。
【図５Ａ】本発明の実施例による単位光調節を通じた低階調表現の例を示した図である。
【図５Ｂ】本発明の実施例による単位光調節を通じた低階調表現の例を示した図である。
【符号の説明】
【００４０】
１００  プラズマ表示パネル
２００  制御部
３００  アドレス駆動部
４００  維持電極駆動部（Ｘ電極駆動部）
５００  走査電極駆動部（Ｙ電極駆動部）
【図１】
2006133772.tif 000003
【図２】
2006133772.tif 000004
【図３】
2006133772.tif 000005
【図４】
2006133772.tif 000006
【図５Ａ】
2006133772.tif 000007
【図５Ｂ】
2006133772.tif 000008